(57)【要約】      （修正有）【課題】冷たさ温かさが選べる保冷及び保温用断熱具を提供する。【解決手段】中央部に開口部が形成された表面ボード４と、表面ボード４と略同形の裏面ボード１６と、裏面ボード１６上に重ねて配置された１つ又は複数の、各々に通気孔が形成された仕切りボード８、１２、１５とからなり、これら各ボードは断熱シートにより構成される。表面ボード４と仕切りボード８、１２、１５の中の最上位の仕切りボード８との間に保冷・保温剤収納部６を形成し、裏面ボード１６と最下位の仕切りボード１５との間及び他の仕切りボード８、１２、１５間にそれぞれ差込口１７ａ、１０ａ、１４ａを有する袋状の保冷・保温剤収納部１７、１０、１４を形成する。【選択図】図２
0003178086.tif 000002
【実用新案登録請求の範囲】
【請求項１】
保冷具及び保湿具として使用するための断熱具であって、外形が略矩形の断熱シートからなり、略中央部に開口部（２４）が形成された表面ボード（４）と、該表面ボード（４）と略同形の断熱シートからなる裏面ボード（１６）と、前記裏面ボード（１６）上に重ねて配置された断熱シートからなる１つ又は複数の、各々に通気孔（２６）が形成された仕切りボード（８）（１２）（１５）とを備え、前記表面ボード（４）と前記仕切りボード（８）（１２）（１５）の中の最上位の仕切りボード８との間に保冷・保温剤収納部（６）を形成し、前記裏面ボード（１６）と最下位の仕切りボード（１５）との間及び他の仕切りボード（８）（１２）（１５）間にそれぞれ差込口（１７ａ）（１０ａ）（１４ａ）を有する袋状の保冷・保温剤収納部（１７）（１０）（１４）を形成した事を特徴とする保冷保温両用断熱具。
【請求項２】
前記表面ボード（４）を前記袋状の保冷・保温剤収納部側に対して開閉自在に接続したことを特徴とする請求項１に記載の保冷保温両用断熱具。
【考案の詳細な説明】
【技術分野】
【０００１】
本考案は、冷たさを変化させたり或いはや温かさを変化させることができるようにして所望のレベルの冷たさや暖かさが選べるようにした保冷及び保温両用断熱具に関する。
【背景技術】
【０００２】
断熱シートを袋状に形成し、内部に保冷剤を挿入配置して、保冷枕として使用する保冷剤用断熱カバーが従来知られている（例えば特許文献１参照）。
【先行技術文献】
【特許文献】
【０００３】
【特許文献１】特開２０１０−２３６７４１
【考案の概要】
【考案が解決しようとする課題】
【０００４】
保冷剤を断熱シートの袋に入れ、この袋を保冷枕として利用する場合、枕の冷たさを調整するには、タオル等を用意し、これを断熱シートの袋に重ねるなどの工夫が必要であり、別途冷たさの調整のための用具が必要であった。
本考案は上記問題点を解決することを目的とする。
【課題を解決するための手段】
【０００５】
上記目的を達成するため本考案は、保冷具及び保温具として使用するための断熱具であって、外形が略矩形の断熱シートからなり、略中央部に開口部（２４）が形成された表面ボード（４）と、該表面ボード（４）と略同形の断熱シートからなる裏面ボード（１６）と、前記裏面ボード（１６）上に重ねて配置された断熱シートからなる１つ又は複数の、各々に通気孔（２６）が形成された仕切りボード（８）（１２）（１５）とからなり、前記表面ボード（４）と前記仕切りボード（８）（１２）（１５）の中の最上位の仕切りボード（８）との間に保冷・保温剤収納部（６）を形成し、前記裏面ボード（１６）と最下位の仕切りボード（１５）との間及び他の仕切りボード（８）（１２）（１５）間にそれぞれ差込口（１７ａ）（１０ａ）（１４ａ）を有する袋状の保冷・保温剤収納部（１７）（１０）（１４）を形成したものである。
また本考案は、前記表面ボード（４）を前記袋状の保冷・保温剤収納部側に対して開閉自在に接続したものである。
【考案の効果】
【０００６】
本考案は、保冷剤又は保温剤の上の断熱層の数を選択することで保冷枕の冷たさや足熱具などの温かさを簡単に調整することができる。
【図面の簡単な説明】
【０００７】
【図１】本考案に係わる断熱具の平面図である。
【図２】断熱具のＡ−Ａ線断面説明図である。
【図３】断熱具の展開説明図である。
【図４】断熱具の外観説明図である。
【図５】保冷枕の展開説明図である。
【考案を実施するための形態】
【０００８】
以下に本考案の構成を保冷枕として使用した実施形態を参照して詳細に説明する。
本考案に係る断熱具２は、表面ボード４と、該表面ボード４との間に最上位の保冷剤収納部６を形成する第１の仕切りボード８と、該第１の仕切りボード８との間に袋状の保冷剤収納部１０を形成する第２の仕切りボード１２と、該第２の仕切りボード１２との間に第３の袋状の保冷剤収納部１４を形成する仕切りボード１５と、該仕切りボード１５との間に袋状の保冷剤収納部１７を形成する裏面ボード１６とから構成されている。
【０００９】
上下に重なって多層構造を形成する袋状の収納部１０，１４，１７側は、断熱具２の袋状部１８を構成し、この袋状部１８に対して、表面ボード４は、折り目２０を基準として図３に示すように開閉自在に接続している。冷却剤収納部６は、表面ボード４を閉じて、表面ボード４を最上位の仕切りボード８に重ねたとき、表面ボード４と仕切りボード８との間に形成されるように構成されている。各袋状の収納部１０，１４，１７側はそれぞれ保冷剤挿入用の差込口１０ａ，１４ａ，１７ａを有し、差込口以外の他の辺は閉じられ袋を構成している。尚、袋状部１８に対して開閉自在な表面ボード４は本考案の必須条件ではなく、袋状部１８側の最上位の仕切りボード８を表面ボードとしても良い。
【００１０】
この場合、表面ボードとした仕切りボード８には略中央に開口部を形成する。表面ボード４の中央には、市販の保冷剤２２の冷気を外部に伝えるための開口部２４が形成され、該開口部２４はプラスチック製の通気性ネット３０によって塞がれている。表面ボード４、仕切りボード８，１２，１５は、断熱シートと、該断熱シートに接着されたアルミニウム層からなる２層シート構造となっている。各仕切りボード８，１２，１５には、それぞれ、保冷剤２２の冷気を、表面ボード４の方向に伝えるための通気孔２６が複数穿設されてる。各ボードの通気孔２６は各ボ−ドに接着されたプラスチック製の通気性ネットで被われている。
【００１１】
次に、断熱具２を保冷枕として使用する操作方法について説明する。
まず、表面ボード４を折り目２０を基準として開いて袋状部１８側から離し、最上位の仕切りボード８の上面を開放する。枕を最も冷たい状態にしたいときは、最上位の仕切りボード８の上面に保冷剤２２を配置し、しかる後に、表面ボード４を閉じて、図２に示すように第１収納部６内に保冷剤２２を配置する。第１収納部６内の保冷剤２２の冷気は、１層の表面ボード４を通じて外部に伝達される。
【００１２】
枕の冷たさを１段階弱くしたいときは、表面ボード４を上方に開き、保冷剤２２を差込口１０ａから第２収納部１０に挿入配置し、表面ボード８を閉じる。第２収納部１０内の保冷剤２２の冷気は、第１の仕切りボード８と表面ボード４との２層の断熱層を通じて外部に伝達され、その分、枕の冷たさが弱くなる。更に枕の冷たさを１段階弱くしたいときは、保冷剤２２を差込口１４ａから第３収納部１４に挿入配置する。第３収納部１４内の保冷剤の冷気は、第２の仕切りボード１２と、第１の仕切りボード８と、表面ボード４との３層の断熱層を通じて外部に伝達され、その分、枕の冷たさが弱くなる。更に冷たさを弱くしたときは、保冷剤２２を収納部１７に収納する。
【００１３】
尚、本考案は、保冷剤収納部の数は特に図示するものに限定されるものでなく、適宜の複数とすることができる。保冷剤２０を適宜な収納部に配置した断熱具２をそのまま枕として使用できるが、図５に示すように、断熱具２用の枕カバー２８を設けても良い。枕カバー２８は布地により構成し、展開した状態のカバー本体の内側の左側に浅い袋部３１を設け、右側に深い袋部３２を設ける。
【００１４】
左側の袋部３１には、表面ボード４の側部を受け入れる差込部３１ａが設けられ、右側の袋部３２には、断熱具２の袋状部１８側を受け入れる差込部３２ａが設けられている。断熱具２の表面ボード４を開いた状態で保冷剤２２を配置した袋状部１８を袋部３２内に挿入し、表面ボード４の側部を袋部３１内に挿入し、該状態で枕カバー２８のカバー本体の折り目３４を中心として、カバー本体を内側に折り、カバー本体の重なった部分を適宜剥離自在な接着具３６やチャックなどで止める。
【００１５】
尚、本考案は、表面ボード４を、袋状部１８に対して開閉自在とする構成に特に限定されるものではなく、単に表面ボード４と仕切りボード８との間に袋部が形成される構成としても良い。
また、本考案に係る断熱具は、上記した保冷枕として使用する保冷具としての実施形態に特に限定されるものでなく、レンジで温めて市販の保温剤を足熱具などに使用する保温としての実施形態にも応用することができる。この場合、保冷剤収納部は保冷・保温剤収納部を構成する。
【符号の説明】
【００１６】
２        断熱具
４        表面ボード
６        収納部
８        仕切りボード
１０      収納部
１２      仕切りボード
１４      収納部
１６      裏面ボード
１８      袋状部
２０      折り目
２２      保冷剤
２４      開口部
２６      通気孔
２８      枕カバー
３０      袋部
３２      袋部
３４      折り目
【図１】
0003178086.tif 000003
【図２】
0003178086.tif 000004
【図３】
0003178086.tif 000005
【図４】
0003178086.tif 000006
【図５】
0003178086.tif 000007